(57)【要約】【課題】スピンドルモータがショートしていても過電流によるモータ駆動回路の発熱を回避することができる光ディスク装置を提供する。【解決手段】モータ駆動ＩＣ７がスピンドルモータ２へ電圧印加を開始した後、マイコン６がＲＦアンプ４からのＲＦ信号に基づきピット長を測定し、該測定結果に基づきスピンドルモータ２がショートしていることを検出すると、モータ駆動ＩＣ７はスピンドルモータ２への電圧印加を停止する。【選択図】図１
2008108335.tif 000002
【特許請求の範囲】
【請求項１】
ディスクを回転させるスピンドルモータと、該スピンドルモータに電圧を印加し該スピンドルモータを駆動させるモータ駆動回路と、ディスクに光ビームを照射する光ピックアップと、を備えた光ディスク装置において、
前記モータ駆動回路が前記スピンドルモータへの電圧印加を開始した後に、前記光ピックアップが照射した光ビームのディスクでの反射光に基づきピット長を所定時間ずつ順次測定し、各測定における各最大ピット長を取得し、測定順番における隣り合う測定に対応した最大ピット長間の差に基づき前記スピンドルモータがショートしていることを検出する検出手段と、
前記スピンドルモータがショートしていることを該検出手段が検出すると、表示手段に警告表示をさせるための信号を前記表示手段に出力する信号出力手段とを備え、
前記スピンドルモータがショートしていることを前記検出手段が検出すると、前記モータ駆動回路は前記スピンドルモータへの電圧印加を停止する、
ことを特徴とする光ディスク装置。
【請求項２】
ディスクを回転させるスピンドルモータと、該スピンドルモータに電圧を印加し該スピンドルモータを駆動させるモータ駆動回路と、ディスクに光ビームを照射する光ピックアップと、を備えた光ディスク装置において、
前記モータ駆動回路が前記スピンドルモータへの電圧印加を開始した後に、前記光ピックアップが照射した光ビームのディスクでの反射光に基づきピット長を測定し、該測定結果に基づき前記スピンドルモータがショートしていることを検出する検出手段を備え、
前記スピンドルモータがショートしていることを該検出手段が検出すると、前記モータ駆動回路は前記スピンドルモータへの電圧印加を停止する、
ことを特徴とする光ディスク装置。
【請求項３】
前記スピンドルモータがショートしていることを前記検出手段が検出すると、表示手段に警告表示をさせるための信号を前記表示手段に出力する信号出力手段を備えることを特徴とする請求項２に記載の光ディスク装置。
【請求項４】
前記検出手段は、ピット長を所定時間ずつ順次測定し、各測定における各最大ピット長を取得し、測定順番における隣り合う測定に対応した最大ピット長間の差に基づき前記スピンドルモータがショートしていることを検出することを特徴とする請求項２に記載の光ディスク装置。
【発明の詳細な説明】
【技術分野】
【０００１】
本発明は、光ディスク装置に関する。
【背景技術】
【０００２】
ＣＤやＤＶＤ等の光ディスクに対して再生や記録を行う光ディスク装置には、光ディスクを回転させるスピンドルモータが備えられる。このスピンドルモータにおいて整流子と整流子との間にブラシの磨耗くずが付着し、整流子間がショートしてスピンドルモータが駆動不能となる場合がある。そこで、特許文献１には、整流子に大電流を流し、ブラシの磨耗くずを焼き切って整流子間をショートさせないようにする光ディスク装置が開示されている。
【特許文献１】特開２００５−２７８２５４号公報
【発明の開示】
【発明が解決しようとする課題】
【０００３】
しかし、上記特許文献１の光ディスク装置では、大電流を整流子に流してもブラシの磨耗くずが完全に焼き切れるとは限らず、整流子間がショートしたままでモータ駆動回路がスピンドルモータに電圧を印加し、発生する過電流によりモータ駆動回路が発熱し、モータ駆動回路の周辺部が焦げ付いたり溶解したり、発火が起こる可能性があるという問題がある。
【０００４】
上記問題点を鑑み、本発明は、スピンドルモータがショートしていても過電流によるモータ駆動回路の発熱を回避することができる光ディスク装置を提供することを目的とする。
【課題を解決するための手段】
【０００５】
上記目的を達成するために本発明の光ディスク装置は、ディスクを回転させるスピンドルモータと、該スピンドルモータに電圧を印加し該スピンドルモータを駆動させるモータ駆動回路と、ディスクに光ビームを照射する光ピックアップと、を備えた光ディスク装置において、
前記モータ駆動回路が前記スピンドルモータへの電圧印加を開始した後に、前記光ピックアップが照射した光ビームのディスクでの反射光に基づきピット長を測定し、該測定結果に基づき前記スピンドルモータがショートしていることを検出する検出手段を備え、
前記スピンドルモータがショートしていることを該検出手段が検出すると、前記モータ駆動回路は前記スピンドルモータへの電圧印加を停止する、
ことを特徴としている。
【０００６】
このような構成によれば、スピンドルモータがショートしていても過電流によるモータ駆動回路の発熱を回避することができる。
【０００７】
また、本発明の光ディスク装置は上記構成において、前記スピンドルモータがショートしていることを前記検出手段が検出すると、表示手段に警告表示をさせるための信号を前記表示手段に出力する信号出力手段を備えるようにするのが望ましい。このような構成によれば、ユーザにスピンドルモータの修理を促すことができる。
【０００８】
また、前記検出手段は例えば、ピット長を所定時間ずつ順次測定し、各測定における各最大ピット長を取得し、測定順番における隣り合う測定に対応した最大ピット長間の差に基づき前記スピンドルモータがショートしていることを検出するようにすればよい。
【発明の効果】
【０００９】
本発明の光ディスク装置によれば、スピンドルモータがショートしていても過電流によるモータ駆動回路の発熱を回避することができる。
【発明を実施するための最良の形態】
【００１０】
本発明の実施形態について以下、図面を参照して説明する。図１に、本発明に係る光ディスク装置の本発明に関する概略構成を示す。
【００１１】
本発明に係る光ディスク装置は、スピンドルモータ２と、光ピックアップ３と、ＲＦアンプ４と、フォーカス制御部５と、マイコン６と、モータ駆動ＩＣ７と、表示部８とを備える。
【００１２】
スピンドルモータ２は、ディスク１を回転させるモータであり、モータ駆動ＩＣ７により駆動される。光ピックアップ３は、不図示の対物レンズ、アクチュエータ、レーザダイオード、フォトディテクタを有する。レーザダイオードから射出されたレーザビームは対物レンズによりディスク１に集光され、ディスク１で反射したレーザビームは対物レンズを介してフォトディテクタで受光され電流信号に変換され、電流信号がＲＦアンプ４に出力される。ＲＦアンプ４は、該電流信号を電圧信号に変換し増幅し、ＲＦ信号およびフォーカスエラー信号を演算生成する。
【００１３】
フォーカス制御部５は、フォーカスエラー信号に基づき光ピックアップ３が有するアクチュエータに駆動信号を出力し、対物レンズがディスク１の記録面に垂直方向に駆動される。
【００１４】
マイコン６は、不図示の波形等価器やオートスライサを有し、ＲＦ信号を２値化信号に変換し、２値化信号とクロック信号とによりピット長を測定する。また、マイコン６は、モータ駆動ＩＣ７に駆動信号を出力したり、表示部８に表示用信号を出力したりもする。
【００１５】
モータ駆動ＩＣ７は、マイコン６からの駆動信号を増幅し、スピンドルモータ２に電圧を印加する。表示部８は、例えば液晶パネルを有し、マイコン６からの表示用信号に基づき文字や図形を表示する。
【００１６】
次に、このような構成の本発明に係る光ディスク装置におけるメイン電源オン時の立上げシーケンスの一例について図２に示すフローチャートに沿って説明する。
【００１７】
メイン電源がオンとされると、まずステップＳ２０１でマイコン６がディスクの有無を判定する。ここでは例えば、光ピックアップ３が有するレーザダイオードがレーザビームを射出し、ＲＦアンプ４からの入力信号があればレーザビームがディスクで反射したということであるからディスクが有るとマイコン６は判定し、該入力信号がなければディスクは無いとマイコン６は判定する。ディスクが無いと判定された場合は（ステップＳ２０１のＮ）、立上げシーケンスは中止される。一方、ディスクが有ると判定された場合は（ステップＳ２０１のＹ）、ステップＳ２０２に進む。
【００１８】
ステップＳ２０２で、光ピックアップ３が有するレーザダイオードがレーザビームを射出し、フォーカス制御部５は、サーボパラメータとして低速用のサーボパラメータを設定し、光ピックアップ３が有するアクチュエータに駆動信号を出力して対物レンズをディスク１へ近づけてゆき、ＲＦアンプ４からのフォーカスエラー信号が０となった時点でフォーカスサーボをオンとし、以降、フォーカスエラー信号と上記設定されたサーボパラメータとに基づき駆動信号をアクチュエータに出力し、対物レンズの焦点位置がディスク１の記録面に位置制御される。
【００１９】
そして、ステップＳ２０３で、マイコン６はモータ駆動ＩＣ７のスタンバイ状態を解除し、モータ駆動ＩＣ７に駆動信号を出力し、モータ駆動ＩＣ７がスピンドルモータ２への電圧印加を開始する。ここでスピンドルモータ２がショートしていなければディスク１は回転開始し、スピンドルモータ２がショートしていればディスク１は回転しないことになる。
【００２０】
そして、ステップＳ２０４で、マイコン６が変数ＩおよびＪを０に初期化する。
【００２１】
そして、ステップＳ２０５で、マイコン６がＲＦアンプ４からのＲＦ信号に基づきピット長を所定時間測定する。その後、ステップＳ２０６で、マイコン６は測定されたピット長のうち最大であるピット長を取得し、これを第一の最大ピット長とする。
【００２２】
そして、ステップＳ２０７で、マイコン６がＲＦアンプ４からのＲＦ信号に基づきピット長を再び所定時間測定する。その後、ステップＳ２０８で、マイコン６は測定されたピット長のうち最大であるピット長を取得し、これを第二の最大ピット長とする。
【００２３】
そして、ステップＳ２０９で、マイコン６は、第一の最大ピット長から第二の最大ピット長を差し引いた値が所定値以上であるか否かを判定する。もし、所定値以上であれば（ステップＳ２０９のＹ）、ステップＳ２１０に進み、そうでなければ（ステップＳ２０９のＮ）、ステップＳ２１１に進む。
【００２４】
ステップＳ２１０では、マイコン６が変数Ｊを１だけ増加させる。そして、ステップＳ２１１で、マイコン６は変数Ｉを１だけ増加させ、ステップＳ２１２で、マイコン６は変数Ｉが所定値に達したか否かを判定する。
【００２５】
ステップＳ２１２で変数Ｉが所定値に達していないと判定されると（ステップＳ２１２のＮ）、ステップＳ２１３に進み、マイコン６は第二の最大ピット長を新たな第一の最大ピット長として、ステップＳ２０７に戻る。その後、ステップＳ２０８では、取得された最大のピット長が新たな第二の最大ピット長とされ、ステップＳ２０９で新たな第一の最大ピット長から新たな第二の最大ピット長を差し引いた値に基づく判定がされる。
【００２６】
ステップＳ２１２で変数Ｉが所定値に達したと判定されると（ステップＳ２１２のＹ）、ステップＳ２１４に進み、マイコン６は変数Ｊが所定値以上であるか否かを判定する。もし、所定値以上であれば（ステップＳ２１４のＹ）、スピンドルモータ２はショートしていないものとして、立上げシーケンスが続行する。
【００２７】
一方、ステップＳ２１４で変数Ｊが所定値以上でないと判定されると（ステップＳ２１４のＮ）、スピンドルモータ２はショートしているものとして、ステップＳ２１５に進み、マイコン６はモータ駆動ＩＣ７をスタンバイ状態へ移行させ、モータ駆動ＩＣ７はスピンドルモータ２への電圧印加を停止する。なお、ここではモータ駆動ＩＣ７の電源をカットするようにしてもよい。
【００２８】
そして、ステップＳ２１６で、マイコン６は表示部８に表示用信号を出力し、表示部８にスピンドルモータが異常である旨が表示され、立上げシーケンスが中止される。なお、ここでは不図示のＯＳＤ部を用いて外部のテレビ等に表示させるようにしてもよい。
【００２９】
スピンドルモータ２がもしショートしていない場合は、ステップＳ２０３での電圧印加によりディスク１が回転を開始する。ディスク１の回転は加速されるので、取得される最大ピット長は時間が進むにつれ小さくなってゆく。これにより、ステップＳ２０９で第一の最大ピット長から第二の最大ピット長を差し引いた値はほぼ毎回所定値以上であると判定され、ステップＳ２１０で変数Ｊが増加してゆき、ステップＳ２１４では変数Ｊが所定値以上であると判定され、立上げシーケンスが続行することとなる。
【００３０】
一方、スピンドルモータ２がショートしている場合は、ステップＳ２０３での電圧印加によってもディスク１は回転せず止まったままであるため、取得される最大ピット長は時間が進むにつれ微少に変動するだけである。これにより、ステップＳ２０９で第一の最大ピット長から第二の最大ピット長を差し引いた値はほぼ毎回所定値より小さいと判定され、ステップＳ２１０を通過しないため変数Ｊはほとんど増加せず、ステップＳ２１４では変数Ｊが所定値よりも小さいと判定され、ステップＳ２１５でスピンドルモータ２への電圧印加が停止されることとなる。これにより、スピンドルモータ２のショートにより発生する過電流によるモータ駆動ＩＣ７の発熱を回避することができる。また、ステップＳ２１６で表示部８にスピンドルモータが異常である旨が表示されるので、ユーザにスピンドルモータの修理を促すことができる。
【図面の簡単な説明】
【００３１】
【図１】は、本発明に係る光ディスク装置の本発明に関する概略構成図である。
【図２】は、本発明に係る光ディスク装置の立上げシーケンスの一例に関するフローチャートである。
【符号の説明】
【００３２】
１    ディスク
２    スピンドルモータ
３    光ピックアップ
４    ＲＦアンプ
５    フォーカス制御部
６    マイコン
７    モータ駆動ＩＣ
８    表示部
【図１】
2008108335.tif 000003
【図２】
2008108335.tif 000004